(57)【要約】【課題】ブーツの胴筒部をしっかりと挟持して直立状態に保つことができるブーツスタンドを得る。【解決手段】ブーツスタンド１を、ブーツの両足Ｌ、Ｒを跨がせて左右片足ずつに挿入される一対の脚部２ｌ、２ｒと、この一対の脚部２ｌ、２ｒに設けられ、上記ブーツの両足Ｌ、Ｒの胴筒部Ｂを左右両外側から内方へ自在に抱き寄せられる一対の腕部４ｌ、４ｒとを備え、上記一対の脚部２ｌ、２ｒを挿入し、上記一対の腕部４ｌ、４ｒで上記両足Ｌ、Ｒの胴筒部Ｂを抱き寄せた状態に固定することにより、上記両足Ｌ、Ｒの胴筒部Ｂを上記一対の脚部２ｌ、２ｒに挟持させて直立状態に保つように構成した。【選択図】図１
2005329146.tif 000002
【特許請求の範囲】
【請求項１】
ブーツの両足を跨がせて左右片足ずつに挿入される一対の脚部と、この一対の脚部に設けられ、上記ブーツの両足の胴筒部を左右両外側から内方へ自在に抱き寄せられる一対の腕部とを備え、上記一対の脚部を挿入し、上記一対の腕部で上記両足の胴筒部を抱き寄せた状態に固定することにより、上記両足の胴筒部を上記一対の脚部に挟持させて直立状態に保つブーツスタンド。
【請求項２】
上記一対の腕部を連通する塑性部材を上記一対の脚部の股上を通して設け、上記塑性部材を塑性変形させることにより、上記ブーツの両足の胴筒部を内方へ抱き寄せた状態に固定することを特徴とする請求項１に記載のブーツスタンド。
【請求項３】
上記一対の脚部と上記一対の腕部が、弾性材を充填した袋体からなることを特徴とする請求項１または２に記載のブーツスタンド。
【請求項４】
上記一対の脚部を上記ブーツから引き抜くための頭部を上記一対の脚部の股上に設けたことを特徴とする請求項１から３のいずれかに記載のブーツスタンド。
【請求項５】
上記一対の脚部に消臭剤を内蔵させたことを特徴とする請求項１から４のいずれかに記載のブーツスタンド。
【発明の詳細な説明】
【技術分野】
【０００１】
この発明は、ブーツに型崩れや皺などが生じることを防止するために使用されるブーツスタンドに関する。
【背景技術】
【０００２】
ブーツの中でも、女性用ロングブーツなど、トップラインがふくらはぎよりも上方にあるブーツは、図３に示すように、脱がれると、左右両足Ｌ、Ｒの胴筒部Ｂが折れてしまう。この状態を長時間放置すると、ブーツの折れた部分に癖が付き、型崩れや皺が生じる。そこで、従来から、ブーツの型崩れを防止するため、ブーツスタンドが利用されている。
【０００３】
例えば、図４に示すように、ブーツを載せる基台部１１の中央に高さ調節自在の支柱１２を立設し、この支柱１２の上端にピンチ１３を設けたものがある（特許文献１参照）。特許文献１に記載のものは、ブーツの左右両足Ｌ、Ｒを支柱の左右両側に分けて基台部１１に載せ、支柱１２の高さをトップラインＴに合わせた状態で、ピンチ１３で左右両足Ｌ、ＲのトップラインＴを一挟みにすることにより、ブーツを支柱１２で支え、その胴筒部Ｂを直立状態に保つことができる。
【特許文献１】特開２００３−２３５６１０号公報
【発明の開示】
【発明が解決しようとする課題】
【０００４】
しかしながら、特許文献１に記載のものは、左右両足Ｌ、ＲのトップラインＴをピンチ１３で部分的に挟むだけなので、ブーツに物が当った場合など、何かの拍子に、ピンチ１３がブーツから外れ易いという問題があった。
【０００５】
そこで、この発明の課題は、ブーツの胴筒部をしっかりと挟持して直立状態に保つことができるブーツスタンドを得ることにある。
【課題を解決するための手段】
【０００６】
上記課題を解決するための手段として、この発明は、ブーツスタンドを、ブーツの両足を跨がせて左右片足ずつに挿入される一対の脚部と、この一対の脚部に設けられ、上記ブーツの両足の胴筒部を左右両外側から内方へ自在に抱き寄せられる一対の腕部とを備え、上記一対の脚部を挿入し、上記一対の腕部で上記両足の胴筒部を抱き寄せた状態に固定することにより、上記両足の胴筒部を上記一対の脚部に挟持させて直立状態に保つ構成とした。
【０００７】
上記構成によれば、上記一対の脚部を挿入し、上記一対の腕部で上記ブーツの両足の胴筒部を抱き寄せると、上記一対の脚部の左脚が上記ブーツの左足内で右側へ寄せられ、右脚が右足内で左側へ寄せられた状態となり、上記両足の胴筒部が上記一対の脚部により挟持される。そして、上記一対の腕部で上記両足の胴筒部を抱き寄せた状態に固定するので、上記ブーツの両足の胴筒部がしっかりと直立状態に保たれる。
【０００８】
この発明の具体的な構成としては、上記一対の腕部を連通する塑性部材を上記一対の脚部の股上を通して設け、上記塑性部材を塑性変形させることにより、上記ブーツの両足の胴筒部を内方へ抱き寄せた状態に固定する構成とすることができる。
【０００９】
また、この発明の具体的な構成としては、上記一対の脚部と上記一対の腕部とを、弾性材を充填した袋体から構成することも好ましい。この構成によれば、上記一対の脚部と上記一対の腕部が弾性を有するようになるので、上記ブーツに物が当たって胴筒部が凹んでも、物が離れると、上記一対の脚部が弾性回復により胴筒部を押し返すようになり、上記ブーツの型崩れが防止される。
【００１０】
また、この発明の具体的な構成としては、上記一対の脚部を上記ブーツから引き抜くための頭部を上記一対の脚部の股上に設けた構成とすることも好ましい。これにより、ブーツスタンドの脱着が容易になる。ここで、上記一対の脚部と上記一対の腕部とを弾性材を充填した袋体で形成する場合、この頭部も同様に形成し、ブーツスタンド全体をマスコット人形の意匠とすれば、ブーツスタンドの商品価値が高められる。
【００１１】
また、この発明は、上記一対の脚部に消臭剤を内蔵させた構成とすることもできる。特に、上記一対の脚部を上記袋体から形成すれば、消臭材の内蔵が容易になる。
【発明の効果】
【００１２】
上述のように、この発明によれば、ブーツの胴筒部をしっかりと挟持して直立状態に保つことができるブーツスタンドを得られる。
【発明を実施するための最良の形態】
【００１３】
以下、この発明を実施するための最良の形態を図面に基いて説明する。図１および図２に示すように、ブーツスタンド１は、マスコット人形として形成されており、左右一対の脚部２ｌ、２ｒを備える。この一対の脚部２ｌ、２ｒは、股３で連設されており、ブーツの左右両足Ｌ、ＲをトップラインＴ越しに跨がせて左右片足ずつに挿入される。この一対の脚部２ｌ、２ｒには、左右一対の腕部４ｌ、４ｒが設けられている。具体的には、左腕部４ｌが、左脚２ｌの左外側であって股３よりも上方に、右腕４ｒが左脚２ｒの右外側であって股３よりも上方に設けられている。
【００１４】
一対の脚部２ｌ、２ｒと一対の腕部４ｌ、４ｒは、弾性材Ｃを充填した袋体５からなる。ブーツの表面に擦り傷を付けないように、ブーツスタンド１に柔軟性を持たせるため、袋体５には、表面が毛羽立てられた布地を用い、弾性材Ｃには、エステル綿や、エステル綿とウールなどの繊維材を用いることが好ましい。
【００１５】
一対の腕部４ｌ、４ｒの内部には、一対の腕部４ｌ、４ｒを連通する塑性部材６が設けられている。塑性部材６は、手曲げ可能なワイヤからなり、股３の上方を通されている。これにより、一対の腕部４ｌ、４ｒは、ブーツの胴筒部Ｂを左右両外側から内方へ自在に抱き寄せられると共に、その状態を保つようになっている。なお、ブーツスタンド１のように、袋体５に繊維材からなる弾性材Ｃを充填し、塑性部材６にワイヤを用いると、塑性部材６を一対の腕部４ｌ、４ｒの内部に連通させることが容易になると共に、上記一対の腕部４ｌ、４ｒが容易に曲げられるようになる。
【００１６】
また、一対の脚部２ｌ、２ｒと一対の腕部４ｌ、４ｒの長さは、ブーツのトップラインＴから足首部分Ａまで届くように設けられている。一対の脚部２ｌ、２ｒの先端には、ブーツの足首部分Ａと接触するように爪先側に膨出された足首部２ａが設けられ、一対の腕部４ｌ、４ｒの先端には、外側に膨出された手首部４ａが設けられている。これにより、ブーツスタンド１は、手首部４ａと足首部２ａとでブーツの足首部分Ａまでしっかりと挟むことができる。
【００１７】
さらに、股３の上方には、一対の脚部２ｌ、２ｒをブーツから引き抜くための頭部７が設けられている。頭部７は、一対の脚部２ｌ、２ｒと同様の袋体からなり、マスコット人形の顔が形成されている。
【００１８】
また、一対の脚部２ｌ、２ｒの足首部２ａには、消臭剤Ｓが内蔵されていると共に、その爪先には消臭剤入り袋８が繋がれている。消臭剤Ｓには、活性炭や、Ｂ型シリカゲルを用いることができる。
【００１９】
上記構成のブーツスタンド１によれば、一対の脚部２ｌ、２ｒをブーツに挿入し、一対の腕部４ｌ、４ｒをブーツの両足Ｌ、Ｒの胴筒部Ｂを抱き寄せるように曲げると、一対の脚部２ｌ、２ｒは、その左脚２ｌがブーツの左足Ｌ内で右側へ寄せられ、右脚２ｒが右足Ｒ内で左側へ寄せられた状態となり、ブーツの両足Ｌ、Ｒの胴筒部Ｂが一対の脚部２ｌ、２ｒにより挟持される。また、上記一対の腕部は、塑性部材６の塑性変形に伴い、両足Ｌ、Ｒの胴筒部Ｂを抱き寄せた状態に固定される。これにより、両足Ｌ、Ｒの胴筒部Ｂがしっかりと直立状態に保たれる。
【図面の簡単な説明】
【００２０】
【図１】（ａ）は、この発明の最良の実施形態に係るブーツスタンドを部分的に破断表示した正面図、（ｂ）は、（ａ）の腕部のｂ−ｂ矢視断面図。
【図２】図１のブーツスタンドの使用状態図。
【図３】脱がれたロングブーツの状態を示す外観斜視図。
【図４】従来のブーツスタンドの使用状態図。
【符号の説明】
【００２１】
１  ブーツスタンド
２ｌ  左脚
２ｒ  右脚
３  股
４ｌ  左腕
４ｒ  右腕
５  袋体
６  塑性部材
７  頭部
Ａ  足首部分
Ｂ  胴筒部
Ｃ  弾性材
Ｌ  左足
Ｒ  右足
Ｔ  トップライン
【図１】
2005329146.tif 000003
【図２】
2005329146.tif 000004
【図３】
2005329146.tif 000005
【図４】
2005329146.tif 000006